(57)【要約】  弁アセンブリ（１０）は密封状態で挿通される通路を包囲する内表面を有する筒状部材と連結状態で使用される。該弁アセンブリは長手方向の通路及び上記内面に隣接して位置する外表面を有する筒状体（２５）を含む。シール部材（２９）は該筒状部材を備えた該筒状体に密封状態で結合する該内表面に係合する該外表面上に設けられている。可動弁部材（３３）は、該筒状体の通路の上流端部から下流端部への水の流れを供給する開放位置及び該通路を閉鎖する閉鎖位置の間を移動可能とされている。弾性手段、例えばバネ（３４）は、該弁部材を該閉鎖位置に付勢する。所定圧力を超える圧力が該可動弁部材に加えられた場合に、該開放位置方向に該弁部材が移動するように該弾性手段が構成されている。【選択図】図３
2013508625.tif 000002
【特許請求の範囲】
【請求項１】
弁アセンブリが密封状態で挿通される通路を包囲する内表面を有する筒状部材と連結状態で使用される弁アセンブリであって、
長手方向の通路及び上記内面に隣接して位置する外表面を有する筒状体と；
該筒状部材を備えた該筒状体に密封状態で結合する該内表面に係合する該外表面上に設けられたシール部材と；
該筒状体の通路の上流端部から下流端部への水の流れを供給する開放位置及び該通路を閉鎖する閉鎖位置の間を移動する可動弁部材と；
該弁部材を該閉鎖位置に付勢する弾性手段と；を有し、
所定圧力を超える圧力が該可動弁部材に加えられた場合に、該開放位置方向に該弁部材が移動するように該弾性手段が構成されている弁アセンブリ。
【請求項２】
前記筒状体は環状フランジに結合しており、該環状フランジは弁シートを備えており、前記可動弁部材は該筒状体の通路を閉鎖するため該弁シートと係合している請求項１記載の弁アセンブリ。
【請求項３】
前記可動弁部材が、前記筒状体の長手方向軸に略直交する軸の周りを枢動するように設けられている請求項１記載の弁アセンブリ。
【請求項４】
前記弾性手段がバネである請求項２記載の弁アセンブリ。
【請求項５】
取付機構が前記可動弁部材を支持する枢動アセンブリと協働する請求項４記載の弁アセンブリ。
【請求項６】
前記バネが前記弁部材の下側と前記取付機構との間に延出し前記弁シートと係合するように前記弁部材を付勢する請求項５記載の弁アセンブリ。
【請求項７】
前記筒状体は一対のガイドスロットを備えて形成された内面を有し、かつ前記環状フランジは挿入及び捻りロック作動により該ガイドスロットと係合するように形成された一対のガイド部材を有している請求項1記載の弁アセンブリ。
【請求項８】
前記筒状体の外面が環状溝を有し、該環状溝内には前記シール部材が取付けられている請求項１記載の弁アセンブリ。
【請求項９】
通路を包囲する内面を有しかつ上端部及び下端部を有する筒状部材と、該通路内に密封状態で挿通された請求項１記載の弁アセンブリと、該弁アセンブリがその下側に位置する該上端部に固定された鉄格子と、を含む床排水器。
【発明の詳細な説明】
【技術分野】
【０００１】
本発明は、弁アセンブリに関し、より詳細には、専用的ではないが、床ドレン挿入用の弁アセンブリに関する。
【背景技術】
【０００２】
一般的に、ビルディング中の湿気のある部屋には床ドレンが設けられている。当該ドレンはパイプを有している。該パイプは該床中に延びており、該パイプの上端部に床排水器が設けられている。床排水器は該パイプ中に突入する筒状部と上部のグリッド又は鉄格子を有している。該グリッド又は鉄格子は一般的に床レベルに設置されそして該グリッド又は鉄格子を介して水が該筒状部に流れ、前記パイプに供給される。
【０００３】
該床排水器の僅かに下方の位置に配置される該パイプは「Ｓ」ベントを有する場合がある。このベントはガスが該パイプを通過し該床排水器を介して室内に排出されることを防止するために水を保持するものである。
【０００４】
上記した床排水器の欠点は、該「Ｓ」ベントが乾燥した場合又は設置されていない場合には、その部屋は下水システムと直接的に連通状態となってしまうことである。
【発明の概要】
【０００５】
本発明の目的は上記した不利益を解消し又は実質的に改良することにある。
【０００６】
本発明によれば、弁アセンブリが密封状態で挿通される通路を包囲する内表面を有する筒状部材と連結状態で使用される弁アセンブリであって、該弁アセンブリは、
長手方向の通路及び上記内面に隣接して位置する外表面を有する筒状体と；
該筒状部材を備えた該筒状体に密封状態で結合する該内表面に係合する該外表面上に設けられたシール部材と；
該筒状体の通路の上流端部から下流端部への水の流れを供給する開放位置及び該通路を閉鎖する閉鎖位置の間を移動する可動弁部材と；
該弁部材を該閉鎖位置に付勢する弾性手段と；を有し、
所定圧力を超える圧力が該可動弁部材に加えられた場合に、該開放位置方向に該弁部材が移動するように該弾性手段が構成されているようにした弁アセンブリが提供される。
【０００７】
好ましくは、前記筒状体は環状フランジに結合しており、該環状フランジは弁シートを備えており、前記可動弁部材は該筒状体の通路を閉鎖するため該弁シートと係合している。
【０００８】
好ましくは、該可動弁部材が、該筒状体の長手方向軸に略直交する軸の周りを枢動するように設けられている。好ましくは、該弾性手段がバネである。
【０００９】
本発明の他の態様によれば、該弁アセンブリが密封状態で挿通されかつ上端部及び下端部を有する筒状部材と、該弁アセンブリがその下側に位置する該上端部に固定された鉄格子と、を含む床排水器が提供される。
【図面の簡単な説明】
【００１０】
本発明が容易に理解されかつ実施形態によって実用的効果が実現されるように、下記する添付図面を参照する。
【００１１】
【図１】本発明の第１の好ましい実施の形態の弁アセンブリの等角上面図である。
【図２】図１の弁アセンブリの底面図である。
【図３】建物の床のドレンパイプ中の床排水器に挿通された図１及び図２の弁アセンブリの断面した側面図で、該弁アセンブリは開放位置で示されている。
【図４】本発明の第２の好ましい実施形態の弁アセンブリの断面した側面図で、該弁アセンブリは閉鎖位置で示されている。
【図５】図４の弁アセンブリの底面図である。
【図６】図４及び図５の弁アセンブリの等角分解立体図である。
【発明を実施するための形態】
【００１２】
添付図面の図１〜図３は好ましい弁アセンブリ１０を示している。該弁アセンブリ１０は、建物内の室の床に螺着されたドレンパイプ１２内に取り付けられている床排水器１１に挿着されている。該パイプ１２は、下水処理システムに接続された「Ｓ」ベントに通じている。
【００１３】
前記パイプ１２は横断面が円形でありかつ円筒状内面１３を有している。前記床排水器１１は筒状部材１４を有している。該筒状部材１４は横断面が円形であり、略円筒状外面１５及び略円筒状内面１６を有している。
【００１４】
前記円筒状内面１３は通路１７を包囲しそして前記円筒状内面１６は通路１８を包囲している。該通路１７及び１８は共通の長手方向軸１９を有している。
【００１５】
前記円筒状外面１５は環状溝２０を有し、その内部にはシール部材２１が配置されている。典型的には、該シール部材２１はプラスチック及び／又はゴムのような弾性材料から形成されている。該シール部材２１は前記面１３及び１５に密封状態で結合している。
【００１６】
前記筒状部材１４の上端部には外方に延出するフランジ２２が固着されている。該フランジ２２は鉄格子２３がその上に載置される縁部を提供する。該鉄格子２３は、水が通過することのできる多数の通路２４を有している。
【００１７】
前記床排水器１１には弁アセンブリ１０が取り付けられる。該弁アセンブリ１０は筒状体２５を包含している。該筒状体２５は横断面が略円形であり、略筒状の外面２６及び内面２７を有している。該外面２６はシール部材２９がその内部に配置される環状溝２８を有している。該シール部材２９はプラスチック及び／又はゴムのような弾性材料から形成されており、該シール部材２９が該筒状体２５及び前記筒状部材１４に密封状態で結合するように外シール部材２９は前記円筒状内面１６に対して押圧されている。
【００１８】
前記内面２７は長手方向軸１９を有する通路３０を包囲している。前記筒状体２５には取付機構３１が設けられている。該取付機構３１は枢動アセンブリ３２と協働して、略水平の軸３６の周囲を枢動又は角運動するための可動弁部材３３を支持する。該軸３６は前記軸１９に対して略横方向に位置するが該軸１９からは離間している。
【００１９】
バネの形状の弾性手段３４は前記弁部材３３及び取付機構３１の間を延出して該弁部材３３を付勢し、前記筒状体２５の弁シート３５と係合せしめる。他の弾性手段としては釣合い重りを有するものがあり、また該弁部材自体が同様の作用を行うために釣合い重りとなることもできる。前記可動弁部材３３がシート３５と係合する時に、該通路１８は閉鎖する。
【００２０】
前記シート３５は前記筒状体２５に固着された環状フランジ３７の下側に設けられている。
【００２１】
上記した弁アセンブリ１０の作動において、水が前記通路２４を通って前記弁部材３３上で滞留すると、該弁部材３３に圧力がかかる。該圧力が所定の圧力を超えると、該弁部材３３は前記シート３５から離れて開放位置となり、該水が前記通路３０を通って前記通路１８及びそれから前記通路１７に入るようにする。そのような水がない場合には、臭気を伴う空気を含むガスが該通路１７から該通路２４に通過することのないように、該弁部材３３は該シートと係合する。
【００２２】
好ましくは、前記床排水器１１の前記筒状部材１４、前記弁アセンブリ１０の前記筒状体２５及び前記鉄格子２３はプラスチック材料から成型される。
【００２３】
組み立てる際には、前記床排水器１１は前記シール２１を前記表面１３に対して下方にスライドさせることによって前記パイプ１２に挿通される。前記弁アセンブリ１０は前記シール２９を前記表面１６に対して下方にスライドさせ、ついで前記鉄格子２３を前記フランジ２２上に位置させることによって該床排水器１１に挿通させる。
【００２４】
もう一つの好ましい弁アセンブリ４０は図４−図６に示されている。該弁アセンブリ４０は使用時には一つの床排水器に挿通される。この床排水器は、前記弁アセンブリ１０に関して上述したような態様で、建物内の室の床のドレンパイプ内に設けられる。
【００２５】
前記弁アセンブリ４０は筒状体４２を有している。該筒状体４０は略円筒状の外面４４と内面４６を含む略円形の横断面を有している。該外面４４は環状溝４８を有し、該環状溝４８内にはシール５０が配置されている。該シール５０は弾性材料から形成されておりかつ該床排水器の内面に対して押圧されて該筒状体４２及び該床排水器の略円筒状の内面に密封状態で結合する。
【００２６】
前記筒状体４２には弁シート５２を備える環状フランジ５１が載置されている。該筒状体４２の内面４６には相対向して配置された一対のガイドスロット５４が形成されており、該ガイドスロット５４は該環状フランジ５１の対応する位置に形成されたガイド部材５６と係合する。該ガイド部材５６は挿入及び捻りロック作動により該ガイドスロット５４と係合する。
【００２７】
前記環状フランジ５１には取付ブロック５８及び取付ステム５９を有する取付機構が形成されている。該取付ブロック５８は枢動アセンブリ６０と協働して、略水平の軸６４の周囲を枢動又は角運動するための可動弁部材６２を支持する。該軸６４は、該床排水器の中央通路及び該ドレンパイプを通る共通垂直軸に対して略横方向に位置するが該軸からは離間している。
【００２８】
前記枢動アセンブリ６０は枢動ロッド６６、クランプブラケット６８及びクランプスクリュー７０を有している。該枢動ロッド６６はその対向する端部において可動弁部材６２に形成された一対の枢動リング７２を介して係合されている。該枢動ロッド６６の中央部分は該クランプブラケット６８及びクランプスクリュー７０を介して該弁部材６２の枢動フランジ７３に係合されている。または、該分離状態の部材６８，７０を単一の成型形状とすることもできる。
【００２９】
弾性バネ７４は前記弁部材６２の下側と前記環状フランジ５１から下方に延出する取付ステム５９との間を延出し、前記弁シート５２と係合するように該弁部材６２を付勢する。該弁シート５２は該弁部材６２及び該環状フランジ５１を密封状態で結合するシール部材７８を有しており、それによって前記床排水器を介して通路を封鎖する。
【００３０】
使用に際しては、水が前記弁部材６２上を流れそして少なくとも部分的に前記バネ７４の性質に基づく所定の圧力を超える圧力がかかると、該弁部材６２は前記シート５２から離れて開放位置に移動し、水が前記床排水器の通路及びドレンパイプを通って流される。そのような水がない場合には、不潔な空気を含むガスがそれらの通路から室内に侵入することのないように、該弁部材６２は該弁シート５２と係合する。
【００３１】
本発明の他の利点は、病気を引き起こすバクテリアを含む微生物、及び下水システムから侵入しかつ該室を「汚染する」昆虫類等の害虫を防ぎ、それによってその室の住人の健康を維持することである。
【００３２】
本発明のさらに他の利点は、鉄格子、鉄格子付きフランジ、包囲する床面又はパイプを取り替える必要がなく、又は損傷を与えることなく、ほとんどの既存の床ドレンに取り付け又は設置することができることである。
【００３３】
本発明の範囲又は領域から逸脱することなく、上述した弁アセンブリのデザイン及び構造の詳細において種々の変形が可能であることは当業者にとっては自明なことであろう。
【図１】
2013508625.tif 000003
【図２】
2013508625.tif 000004
【図３】
2013508625.tif 000005
【図４】
2013508625.tif 000006
【図５】
2013508625.tif 000007
【図６】
2013508625.tif 000008
【国際調査報告】
2013508625.tif 000009
2013508625.tif 000010
2013508625.tif 000011